(57)【特許請求の範囲】
【請求項１】
所定の変動幅ピッチ寸法あるいはその整数倍互いに異なる幅寸法の複数種類のキャビネットに使用され、引き出し箱の上面開口に平面四角形状の複数個のトレーを着脱自在に配置した引き出し装置であって、それぞれのキャビネットの幅寸法の差を変動幅ピッチ寸法の単位とし、この変動幅ピッチ寸法と同幅もしくは整数倍幅の主トレーとこの変動幅ピッチ寸法よりも小さな幅の補助トレーとを引き出し箱内に組み合わせ整列して、その引き出し箱の開口スペースを埋めるようにした引き出し装置。
【請求項２】
所定の変動奥行きピッチ寸法あるいはその整数倍互いに異なる奥行き寸法の複数種類のキャビネットに使用され、引き出し箱の上面開口に平面四角形状の複数個のトレーを着脱自在に配置した引き出し装置であって、それぞれのキャビネットの奥行き寸法の差を変動奥行きピッチ寸法の単位とし、この変動奥行きピッチ寸法と同奥行きもしくは整数倍奥行きの主トレーとこの変動奥行きピッチ寸法よりも小さな奥行きの補助トレーとを引き出し箱内に組み合わせ整列して、その引き出し箱の開口スペースを埋めるようにした引き出し装置。
【発明の詳細な説明】
【０００１】
【発明の属する技術分野】
本発明は引き出し装置に関するものである。
【０００２】
【従来の技術】
従来のこの種の引き出し装置は、図５に示すように、引き出し箱の上面開口に平面四角形状の一体成形のトレー３を配置したものであった。
【０００３】
【発明が解決しようとする課題】
しかしながら上記従来の引き出し装置では、所定の変動幅ピッチ寸法あるいはその整数倍互いに異なる幅寸法の複数種類のキャビネットが必要となってくると、それに伴いキャビネット本体内部に装着される引き出しの幅寸法が所定の変動幅ピッチ寸法あるいはその整数倍増減し、都度その大きさに合わせたトレーとそれを成形する金型投資を必要とした。この課題は、所定の変動奥行きピッチ寸法あるいはその整数倍お互いに異なる奥行き寸法の複数種類のキャビネットの場合も同様であった。
【０００４】
【課題を解決するための手段】
本発明は上記課題を解決するため、所定の変動幅ピッチ寸法あるいはその整数倍互いに異なる幅寸法の複数種類のキャビネットに使用され、引き出し箱の上面開口に平面四角形状の複数個のトレーを着脱自在に配置した引き出し装置であって、それぞれのキャビネットの幅寸法の差を変動幅ピッチ寸法の単位とし、この変動幅ピッチ寸法と同幅もしくは整数倍幅の主トレーとこの変動幅ピッチ寸法よりも小さな幅の補助トレーとを引き出し箱内に組み合わせ整列して、その引き出し箱の開口スペースを埋めるようにしたものである。
【０００５】
上記発明によれば、所定の変動幅ピッチ寸法あるいはその整数倍互いに異なる幅寸法の複数種類のキャビネットが必要となって、それに伴いキャビネット本体内部に装着される引き出しの幅寸法が所定の変動幅ピッチ寸法あるいはその整数倍増減しても、前記の第１トレーの個数を増減させることで対応できるので、都度発生していた金型投資をしなくて済むようになり、さらに部品の標準化で種類数の増大を防ぐことができる。
【０００６】
【発明の実施の形態】
本発明の引き出し装置は、所定の変動幅ピッチ寸法あるいはその整数倍互いに異なる幅寸法の複数種類のキャビネットに使用され、引き出し箱の上面開口に平面四角形状の複数個のトレーを着脱自在に配置した引き出し装置であって、それぞれのキャビネットの幅寸法の差を変動幅ピッチ寸法の単位とし、この変動幅ピッチ寸法と同幅もしくは整数倍幅の主トレーとこの変動幅ピッチ寸法よりも小さな幅の補助トレーとを引き出し箱内に組み合わせ整列して、その引き出し箱の開口スペースを埋めるようにした。
【０００７】
また、所定の変動奥行きピッチ寸法あるいはその整数倍互いに異なる奥行き寸法の複数種類のキャビネットに使用され、引き出し箱の上面開口に平面四角形状の複数個のトレーを着脱自在に配置した引き出し装置であって、それぞれのキャビネットの奥行き寸法の差を変動奥行きピッチ寸法の単位とし、この変動奥行きピッチ寸法と同奥行きもしくは整数倍奥行きの主トレーとこの変動奥行きピッチ寸法よりも小さな奥行きの補助トレーとを引き出し箱内に組み合わせ整列して、その引き出し箱の開口スペースを埋めるようにした。
【０００８】
そして、所定の変動幅ピッチ寸法または変動奥行きピッチ寸法あるいはその整数倍互いに異なる幅または奥行き寸法の複数種類のキャビネットが必要となっても、主トレーの個数のみを増減させ引き出しに配置することで対応できるので、都度発生していた金型投資をしなくて済むようになり、さらに部品の標準化で種類数の増大を防ぐことができる。
【０００９】
【実施例】
以下、本発明の実施例について図面を用いて説明する。
【００１０】
（実施例１）
図１は本発明の実施例１の引き出し装置の説明図、図２は同引き出し装置の外観斜視図である。
【００１１】
図１、図２に示すように、変動幅ピッチ寸法Ａあるいはその整数倍互いに異なる幅寸法の引き出し箱の上面開口に平面四角形状の複数個のトレーを着脱自在に配置した引き出し装置であって、幅寸法Ａの同形状同寸法の複数個の第１トレー１と、引き出し箱６内に任意数の第１トレー１を端より整列させたときに残る、寸法Ａとは異なる幅寸法の開口スペースを埋めるため、幅寸法Ｂの平面四角形状の第２トレー２を１個とを、適宜組み合わせ配置してなる引き出し装置である。図２の（ａ）、（ｂ）にはそれぞれ引き出し箱６の寸法をＷ１、Ｗ２として場合を示している。
【００１２】
次に動作、作用について説明すると、引き出しの幅寸法が変動幅ピッチ寸法Ａあるいはその整数倍増減しても、前記の第１トレー１の個数を増減させることで対応できるので、都度発生していた金型投資をしなくて済むようになり、さらに部品の標準化で種類数の増大を防ぐことができる。
【００１３】
（実施例２）
図３は本発明の実施例２の引き出し装置のトレーの配置例を（ａ）〜（ｃ）に示す。本実施例２において、実施例１と異なる点は第１トレー１を奥行き方向に少なくとも２個以上分割したことである。
【００１４】
なお、実施例１と同一符号のものは同一構造を有し、説明は省略する。
【００１５】
次に動作、作用を説明すると、いろいろなトレーの組み合わせができるので、多数の使い勝手ができ、使い勝手性が向上するという効果を奏するものである。
【００１６】
（実施例３）
図４は本発明の実施例３の引き出し装置の配置例を（ａ）〜（ｃ）に示す。本実施例３において、実施例１及び２と異なる点は、奥行き寸法を変動奥行きピッチ寸法Ｅと同数値またはその整数倍とした第３トレー５と引き出し箱内に任意数の前記第３トレーを手前端または後方端より整列させたときに残る、変動奥行きピッチ寸法Ｅとは異なる開口スペースを埋めるため、奥行き寸法Ｄの平面四角形状の第４トレー４を１個とを、適宜組み合わせ配置したことである。
【００１７】
なお、実施例１と同一符号のものは同一構造を有し、説明は省略する。
【００１８】
次に動作、作用を説明すると、引き出しの奥行き寸法が奥行きピッチ寸法Ｅあるいはその整数倍増減しても、前記の第３トレー５の個数を増減させることで対応できるので、都度発生していた金型投資をしなくて済むようになり、さらに部品の標準化で種類数の増大を防ぐことができる。
【００１９】
【発明の効果】
以上説明したように本発明の引き出し装置は、所定の変動幅ピッチ寸法または奥行きピッチ寸法あるいはその整数倍互いに異なる幅または奥行き寸法の複数種類のキャビネットが必要となっても、主トレーの個数のみを増減させ引き出しに配置することで対応できるので、都度発生していた金型投資をしなくて済むようになり、さらに部品の標準化で種類数の増大を防ぐことができる。
【図面の簡単な説明】
【図１】  本発明の実施例１における引き出し装置の外観斜視図
【図２】  同引き出し装置の平面図
（ａ）引き出し箱巾をＷ１とした場合を示す図
（ｂ）引き出し箱巾をＷ２とした場合を示す図
【図３】  本発明の実施例２における引き出し装置の平面図
（ａ）配置例１を示す図
（ｂ）配置例２を示す図
（ｃ）配置例３を示す図
【図４】  本発明の実施例３における引き出し装置の平面図
（ａ）配置例１を示す図
（ｂ）配置例２を示す図
（ｃ）配置例３を示す図
【図５】  従来の物入れトレーを有する引き出し装置の外観斜視図
【符号の説明】
１  第１トレー
２  第２トレー
４  第３トレー
５  第４トレー
６  引き出し箱
【図１】
0004066690.tif 000002
【図２】
0004066690.tif 000003
【図３】
0004066690.tif 000004
【図４】
0004066690.tif 000005
【図５】
0004066690.tif 000006